(57)【要約】【課題】電源線における電位降下によって、電源線に接続された各単位回路の発光量が減少することを抑制する。【解決手段】発光装置１０はｎ個の単位回路Ｕ１〜Ｕｎを備える。複数の単位回路の各々は、高位側電源線１６から電力の供給を受けて電流を生成する駆動トランジスタＴｓｗと、駆動トランジスタＴｓｗによって生成される電流に応じた輝度で発光する発光素子２０と、を備え、複数の単位回路の各々における駆動トランジスタＴｓｗのサイズ（例えばゲート幅Ｗ）は、電源端子１９から駆動トランジスタＴｓｗに至る電流経路の抵抗値に応じて異なる。【選択図】      図２
2009115888.tif 000002
【特許請求の範囲】
【請求項１】
電源端子を介して電力が供給される電源線に各々が接続される複数の単位回路を備えた発光装置であって、
前記複数の単位回路の各々は、
前記電源線から電力の供給を受けて電流を生成する電流源トランジスタと、
前記電流源トランジスタによって生成される電流に応じた輝度で発光する発光素子と、を備え、
前記複数の単位回路の各々における前記電流源トランジスタの駆動能力は、前記電源端子から前記電流源トランジスタに至る電流経路の抵抗値に応じて異なることを特徴とする、発光装置。
【請求項２】
前記電流源トランジスタの駆動能力には、前記電流源トランジスタのサイズが含まれ、
前記複数の単位回路の各々における前記電流源トランジスタのサイズは、前記電源端子から前記電流源トランジスタに至る電流経路の抵抗値に応じて異なることを特徴とする、
請求項１に記載の発光装置。
【請求項３】
前記電流源トランジスタのサイズにはチャネル幅が含まれ、
前記複数の単位回路の各々における前記電流源トランジスタのチャネル幅は、前記電源端子から前記電流源トランジスタに至る電流経路の抵抗値が大きいほど大きいことを特徴とする、請求項２に記載の発光装置。
【請求項４】
前記電流源トランジスタのサイズにはチャネル長が含まれ、
前記複数の単位回路の各々における前記電流源トランジスタのチャネル長は、前記電源端子から前記電流源トランジスタに至る電流経路の抵抗値が大きいほど小さいことを特徴とする、請求項２に記載の発光装置。
【請求項５】
電源端子を介して電力が供給される電源線に各々が接続される複数の単位回路を備えた発光装置であって、
前記複数の単位回路の各々は、
前記電源線から電力の供給を受けて電流を生成する複数の電流源トランジスタと、
前記複数の電流源トランジスタから生成される電流が接続点で合成された駆動電流に応じた輝度で発光する発光素子と、
前記電源線から前記接続点に至る電流の経路上に前記複数の電流源トランジスタの各々に対応してそれぞれ設けられた複数のスイッチと、を備え、
前記複数の単位回路の各々において、前記電源端子から当該単位回路の前記各電流源トランジスタに至る抵抗値に応じて、前記複数のスイッチのうち１以上のスイッチを選択的にオン状態とすることを特徴とする、発光装置。
【請求項６】
前記複数の単位回路の各々において、前記電源端子から前記各電流源トランジスタに至る電流経路の抵抗値が大きいほど、前記複数の電流源トランジスタのうちオン状態となったスイッチに対応する１以上の電流源トランジスタのチャネル幅の和が大きいことを特徴とする請求項５に記載の発光装置。
【請求項７】
前記複数の単位回路の各々において、前記電源端子から前記各電流源トランジスタに至る電流経路の抵抗値が大きいほど、前記複数の電流源トランジスタのうちオン状態となったスイッチに対応する１以上の電流源トランジスタのチャネル長の和が小さいことを特徴とする請求項５に記載の発光装置。
【請求項８】
前記電源線の両端には、前記電源端子がそれぞれ設けられることを特徴とする請求項１から７の何れか1項に記載の発光装置。
【請求項９】
前記複数の単位回路の各々は、
前記電源線から前記発光素子に供給される電流の経路上に設けられ、前記駆動電流を前記発光素子に供給するか否かを切り替え可能なスイッチ素子を更に備えることを特徴とする請求項１から８の何れか1項に記載の発光装置。
【請求項１０】
請求項１から９の何れか１項に記載の発光装置を具備する電子機器。
【発明の詳細な説明】
【技術分野】
【０００１】
本発明は、有機発光ダイオード（以下「OLED（Organic Light Emitting Diode）
」という）素子など各種の発光素子を利用した発光装置、及びそのような発光装置を備えた電子機器に関するものである。
【背景技術】
【０００２】
基板の上に、OLED素子などの発光素子と、これに電流を供給するためのトランジスタと、を含む単位回路を複数個配列した構成の発光装置が従来から提案されている（例えば、特許文献１参照）。
特許文献１の構成においては、基板の上には更に電源線が設けられ、その電源線に各単位回路がそれぞれ接続される。電源からの電力は、電源端子を介して電源線に供給される。各々の単位回路のトランジスタは電源線から電力の供給を受けて駆動電流を生成する。各々の単位回路の発光素子は、トランジスタで生成された駆動電流の供給を受けて発光する。このとき、電流は電源線から各単位回路へ向かって流れる。
【特許文献１】特開平８-１０８５６８号公報
【発明の開示】
【発明が解決しようとする課題】
【０００３】
ここで、電源線自体は抵抗体であるため、各発光素子に対する駆動電流の供給に伴って電源線に電流が流れると、電源線において電位降下が生じる。電源端子から単位回路のトランジスタと電源線との接続点に至る電流の経路長が大きいほど、その電流経路の抵抗値も大きくなり、接続点で生じる電位降下量も大きくなる。そうすると、トランジスタで生成される駆動電流も大きく減少し、これにより発光素子の発光強度（輝度）が大きく減少してしまう。
すなわち、電源端子から単位回路のトランジスタに至る電流の経路長が大きいほど発光素子の発光強度が大きく減少するので、各単位回路における発光素子の発光強度にばらつきが生じてしまうという問題があった。
本発明はこのような事情に鑑みてなされたものであり、電源線に接続された各単位回路における発光素子の発光強度のばらつきを抑制するという課題の解決を目的としている。
【課題を解決するための手段】
【０００４】
以上の課題を解決するために、本発明に係る発光装置は、電源端子を介して電力が供給される電源線に各々が接続される複数の単位回路を備え、前記複数の単位回路の各々は、電源線から電力の供給を受けて電流を生成する電流源トランジスタ（例えば各実施形態に係る電流源トランジスタＴｇ、変形例に係る図７のトランジスタＴｒ）と、電流源トランジスタによって生成される電流に応じた輝度で発光する発光素子と、を備え、複数の単位回路の各々における電流源トランジスタの駆動能力（トランジスタのサイズ、電子の移動度、トランジスタのゲート容量、トランジスタの閾値電圧等を含む）は、電源端子から電流源トランジスタに至る電流経路の抵抗値に応じて異なる。
【０００５】
この発明によれば、各単位回路における電流源トランジスタで生成される駆動電流の電流値が等しくなるように、電源端子から各単位回路の電流源トランジスタに至る電流経路の抵抗値に応じて各電流源トランジスタの駆動能力（例えば電流源トランジスタのサイズ）が設定される。
【０００６】
上述した発光装置の具体的な態様としては、複数の単位回路の各々における電流源トランジスタのチャネル幅は、電源端子から電流源トランジスタに至る電流経路の抵抗値が大きいほど大きいことが好ましい。例えば、電源端子から電流源トランジスタと電源線との接続点に至る電流の経路長が大きい場合は、その電流経路の抵抗値も大きい。そうすると、その接続点における電位降下量も大きく、単位回路の電流源トランジスタに供給される電源電圧は大きく減少する。そのため、電流源トランジスタで生成される駆動電流も大きく減少し、発光素子の発光強度が大きく減少してしまうが、本発明によれば、そのような場合であっても電流源トランジスタで生成される駆動電流の減少を抑制できる。これにより、各単位回路における発光素子の発光強度にばらつきが生じることを抑制できる。本発明は、トランジスタのチャネル幅が大きく設定されると、それに応じてその電流源トランジスタで生成される駆動電流が大きくなるという性質を利用するものである。
【０００７】
また、上述した発光装置において、複数の単位回路の各々における電流源トランジスタのチャネル長は、電源端子から電流源トランジスタに至る電流経路の抵抗値が大きいほど小さく設定することもできる。かかる態様によれば、上記と同様に、単位回路の電流源トランジスタと電源線との接続点における電位降下によって、電流源トランジスタに供給される電源電位が減少しても、電流源トランジスタで生成される駆動電流の減少を抑制できる。これにより、各単位回路における発光素子の発光強度にばらつきが生じることを抑制できる。本発明は、トランジスタのチャネル長が小さく設定されると、それに応じてそのトランジスタで生成される駆動電流が大きくなるという性質を利用するものである。
【０００８】
次に、本発明に係る発光装置は、電源端子を介して電力が供給される電源線に各々が接続される複数の単位回路を備え、複数の単位回路の各々は、電源線から電力の供給を受けて電流を生成する複数の電流源トランジスタと、複数の電流源トランジスタから生成される電流が接続点で合成された駆動電流に応じた輝度で発光する発光素子と、電源線から接続点に至る電流の経路上に複数の電流源トランジスタの各々に対応してそれぞれ設けられた複数のスイッチと、を備え、複数の単位回路の各々において、電源端子から当該単位回路の各電流源トランジスタに至る抵抗値に応じて、複数のスイッチのうち１以上のスイッチを選択的にオン状態とする。
また、各単位回路から出力される駆動電流の電流値が等しくなるように、電源端子から単位回路における各電流源トランジスタに至る抵抗値に応じて、当該単位回路の複数のスイッチについて各々オン状態が設定されことが好ましい。
より具体的には、各単位回路において、オン状態となったスイッチに対応する電流源トランジスタの駆動能力の和が、電源端子から当該単位回路の各電流源トランジスタに至る抵抗値が大きくなる程、大きくなるように設定されればよい。
【０００９】
例えば、複数の単位回路の各々において、電源端子から電流源トランジスタに至る電流経路の抵抗値が大きいほど、複数の電流源トランジスタのうちオン状態となったスイッチに対応する１以上の電流源トランジスタのチャネル幅の和が大きいという態様とすることもできる。また、例えば複数の単位回路の各々において、電源端子から電流源トランジスタに至る電流経路の抵抗値が大きいほど、複数の電流源トランジスタのうちオン状態となったスイッチに対応する１以上の電流源トランジスタのチャネル長の和が小さいという態様とすることもできる。
【００１０】
また、本発明に係る発光装置においては、電源線の両端に電源端子をそれぞれ設け、それらを介して電源線の両端から電源電圧を供給することが好ましい。かかる態様によれば、電源線の一方の端部にのみ電源端子を設け、その電源端子を介して電源電位を供給する場合に比べて、電源線における電位降下量を少なくすることができる。また、複数の単位回路の各々は、電源線から発光素子に供給される電流の経路上に設けられ、電流源トランジスタが生成した駆動電流を発光素子に供給するか否かを切り替え可能なスイッチ素子を更に備えるという態様であってもよい。
【００１１】
次に、本発明に係る電子機器は、上述した発光装置を備えることが好ましい。このような電子機器としては、プリンタ、複写機、ファクシミリ、あるいは、画像を表示する表示装置、パーソナルコンピュータ、携帯電話機等が該当する。
【発明を実施するための最良の形態】
【００１２】
<Ａ：第１実施形態>
図１は、本発明の第１実施形態に係る発光装置を露光装置（光ヘッド）として利用した画像形成装置の部分的な構成を示す斜視図である。同図に示すように、画像形成装置は発光装置１０と集光性レンズアレイ１１と感光体ドラム１２（像担持体）とを含む。発光装置１０は、基板１３の表面に直線状に配列された多数の発光素子（図１においては図示略）を含む。これらの発光素子は、用紙などの記録材に印刷されるべき画像の態様に応じて選択的に発光する。感光体ドラム１２は、主走査方向に延在する回転軸に支持され、外周面を発光装置１０に対向させた状態で副走査方向（記録材が搬送される方向）に回転する。
【００１３】
集光性レンズアレイ１１は発光装置１０と感光体ドラム１２との間隙に配置される。この集光性レンズアレイ１１は、各々の光軸を発光装置１０に向けた姿勢でアレイ状に配列された多数の屈折率分布型レンズを含む。このような集光性レンズアレイ１１としては、例えば日本板硝子株式会社から入手可能なＳＬＡ（セルフォック・レンズ・アレイ）がある（セルフォック／ＳＥＬＦＯＣは日本板硝子株式会社の登録商標）。
【００１４】
発光装置１０の各発光素子からの出射光は集光性レンズアレイ１１の各屈折率分布型レンズを透過したうえで感光体ドラム１２の表面に到達する。この露光によって感光体ドラム１２の表面には所望の画像に応じた潜像（静電潜像）が形成される。
【００１５】
図２は、発光装置１０の電気的な構成を示すブロック図である。図２に示すように、発光装置１０は、電源回路１４及び１５と、高位側電源線１６と、低位側電源線（接地線）１７と、ｎ個の単位回路Ｕ（Ｕ１〜Ｕｎ）と、駆動回路１８と、が基板１３の表面に配置された構造となっている。第１及び第２の電源回路１４，１５は、長尺状の基板１３の長手方向両端部の近傍に配置されている。高位側電源線１６及び低位側電源線１７は主走査方向に沿って延在し、それらの両端には、電源端子１９がそれぞれ設けられている。高位側電源線１６及び低位側電源線１７は、電源端子１９を介して第１の電源回路１４及び第２の電源回路１５とそれぞれ接続される。高位側電源線１６には電源電圧ＶＥＬが供給され、低位側電源線１７には接地電圧ＶＣＴ（ＶＥＬ＞ＶＣＴ）が供給される。単位回路Ｕ１〜Ｕｎは、主走査方向に沿って配列され、その各々は、高位側電源線１６及び低位側電源線１７にそれぞれ接続される。
【００１６】
図２に示すように、単位回路Ｕ１は、電流源トランジスタＴｇと、トランジスタＴｒと、発光素子２０と、を含む。なお、他の単位回路Ｕ２〜Ｕｎも単位回路Ｕ１と同様に構成されている。図２に示すように、発光素子２０は、高位側電源線１６と低位側電源線１７との間に配置される。発光素子２０は、駆動電流Ｉｄｓに応じた階調となる素子である。本実施形態における発光素子２０は、有機ＥＬ素子（ＥlectroLuminescent）材料で形成された発光層が陽極と陰極との間隙に介在するОＬＥＤ素子であり、発光層に供給される駆動電流Ｉｄｓの電流値に応じた輝度で発光する。
【００１７】
図２に示すように、電流源トランジスタＴｇは、高位側電源線１６と発光素子２０との間に配置されるＰチャネル型のトランジスタ（典型的には薄膜トランジスタ）である。電流源トランジスタＴｇのソースは高位側電源線１６と接続される。図２に示すように、各単位回路Ｕ１〜Ｕｎにおける電流源トランジスタＴｇのソースと高位側電源線１６との接続点をそれぞれＳ１〜Ｓｎとする。また、各単位回路Ｕ１〜Ｕｎにおける電流源トランジスタＴｇのゲートには、一定の基準電圧ＶＲＥＦが共通に供給される。電源電圧ＶＥＬと基準電圧ＶＲＥＦの供給により、電流源トランジスタＴｇは定電流源として機能する。
【００１８】
図２に示すように、トランジスタＴｒは、電流源トランジスタＴｇと発光素子２０との間に配置されるトランジスタ（典型的には薄膜トランジスタ）である。駆動回路１８は、画像形成装置の制御装置（例えばＣＰＵやコントローラである。以下では「上位装置」という）から送られた階調データに応じた電圧ＶｄをトランジスタＴｒのゲートに供給する。本実施形態における階調データは、発光素子２０に対して点灯（高階調）および消灯（低階調）の何れかを指定するデータである。トランジスタＴｒは、階調データに応じた電圧Ｖｄがゲートに供給されることでオン状態又はオフ状態の何れかに制御される。トランジスタＴｒがオン状態に変化すると、発光素子１９に電流源トランジスタＴｇで生成された駆動電流Ｉｄｓが供給され、これによって発光素子１９は発光する。これに対し、トランジスタＴｒがオフ状態に変化すると、電流源トランジスタＴｇで生成された駆動電流Ｉｄｓの電流値はゼロとなって発光素子２０は消灯する。
【００１９】
発光素子２０の発光強度（輝度）は、定電流源である電流源トランジスタＴｇで生成される駆動電流Ｉｄｓの電流値で決まる。電流源トランジスタＴｇは飽和領域で動作し、電流源トランジスタＴｇによって生成される駆動電流Ｉｄｓは、次に示す式（１）で表される。
Ｉｄｓ＝（μ＊Ｃｏｘ／２）＊（Ｗ／Ｌ）＊（Ｖｇｓ−Ｖｔｈ）２＊（１＋Ｖｄｓ）・・（１）
上記式（１）において、μは電子の移動度、Ｃｏｘは電流源トランジスタＴｇのゲート容量、Ｗは電流源トランジスタＴｇのチャネル幅、Ｌは電流源トランジスタＴｇのチャネル長、Ｖｇｓは電流源トランジスタＴｇのゲート・ソース間電圧、Ｖｔｈは電流源トランジスタＴｇの閾値電圧、Ｖｄｓは電流源トランジスタＴｇのドレイン・ソース間電圧をそれぞれ表している。
【００２０】
各単位回路Ｕ１〜Ｕｎにおける発光素子２０の発光強度を等しくするためには、各単位回路Ｕ１〜Ｕｎの電流源トランジスタＴｇで生成される駆動電流Ｉｄｓの電流値を等しくする必要がある。そうすると、各単位回路Ｕ１〜Ｕｎにおいて、電流源トランジスタＴｇで生成される駆動電流Ｉｄｓの電流値に大きく影響を与える電流源トランジスタＴｇのゲート・ソース間電圧Ｖｇｓを一定にする必要がある。
【００２１】
図３は、高位側電源線１６における主走査方向の各接続点Ｓ１〜Ｓｎの位置と、各単位回路Ｕ１〜Ｕｎの電流源トランジスタＴｇに供給される電源電圧ＶＥＬ及び基準電圧ＶＥＬと、の関係を示す図である。ここで、高位側電源線１６は抵抗体であるため、電流が高位側電源線１６を流れると、高位側電源線１６において電位降下が生じる。電源端子１９から単位回路Ｕにおける電流源トランジスタＴｇと高位側電源線１６との接続点Ｓに至る電流の経路長が大きいほど（本形態では「電源端子１９から接続点Ｓまでの距離が大きいほど」と同義）、その電流経路における抵抗値も大きいため、接続点Ｓで生じる電位降下量も大きい。すなわち、図３に示すように、各接続点Ｓ１〜Ｓｎの位置が高位側電源線１６の両方の端部からその延在方向の中央（電源端子１９間の中点）に向かうにつれて電源電圧ＶＥＬは減少する。一方、各単位回路Ｕ１〜Ｕｎにおける電流源トランジスタＴｇのゲートには殆ど電流が流れないため、図３に示すように、基準電圧ＶＲＥＦは、ほぼ一定の値となる。
【００２２】
以上のように、電源端子１９から接続点Ｓまでの距離が大きいほど高位側電源線１６から電流源トランジスタＴｇに供給される電源電圧ＶＥＬは大きく減少するから、電流源トランジスタＴｇにおけるゲート・ソース間電圧Ｖｇｓも大きく減少し、電流源トランジスタＴｇで生成される駆動電流Ｉｄｓも大きく減少する。そうすると、電源端子１９から接続点Ｓまでの距離が大きいほど、発光素子２０の発光強度が大きく減少してしまう。従って、各単位回路Ｕ１〜Ｕｎにおける発光素子２０の発光強度にばらつきが発生し、画像形成装置の形成する画像に階調のムラが発生してしまう。
本実施形態に係る基板１３は長尺状の板であるため、電源端子１９から延びる高位側電源線１６の主走査方向の距離が大きく、高位側電源線１６で生じる電位降下量が大きい。そのため、本実施形態のような画像形成装置の露光ヘッドに用いられる発光装置においては、発光素子の発光強度にばらつきが生じ、画像形成装置の形成する画像に階調のムラが発生するという問題が特に顕著となる。
【００２３】
ここで、上記式（１）から理解されるように、電流源トランジスタＴｇで生成される駆動電流Ｉｄｓは、電流源トランジスタＴｇのチャネル幅Ｗに比例する。そうすると、高位側電源線１６における電位降下によって電流源トランジスタＴｇのゲート・ソース間電圧Ｖｇｓが減少しても、その電流源トランジスタＴｇのチャネル幅Ｗが、ゲート・ソース間電圧Ｖｇｓの減少による駆動電流のＩｄｓの減少を補填できる程度に大きく設定されていれば、その電流源トランジスタＴｇで生成される駆動電流Ｉｄｓの減少を抑制できる。
【００２４】
本実施形態はかかる点に着目したものであり、各単位回路Ｕ１〜Ｕｎの電流源トランジスタＴｇで生成される駆動電流Ｉｄｓを等しくするために、電源端子１９から各単位回路Ｕ１〜Ｕｎの電流源トランジスタＴｇに至る電流経路の抵抗値に応じて、各電流源トランジスタＴｇのサイズを個別に設定している。具体的には、図４に示すように各接続点Ｓ１〜Ｓｎの位置が高位側電源線１６の両方の端部からその延在方向の中央（電源端子１９間の中点）に向かうにつれて、すなわち、電源端子１９から単位回路Ｕの電流源トランジスタＴｇに至る電流経路の抵抗値が大きくなるにつれて、電流源トランジスタＴｇのチャネル幅Ｗは大きく設定されている。
例えば、高位側電源線１６にそれぞれ接続された２つの単位回路Ｕｘ，Ｕｙ（ｘ≠ｙ）に着目すると、電源端子１９から単位回路Ｕｘと高位側電源線１６との接続点Ｓｘまでの距離が、電源端子１９から単位回路Ｕｙと高位側電源線１６との接続点Ｓｙまでの距離より小さい場合は、単位回路Ｕｙにおける電流源トランジスタＴｇのチャネル幅Ｗは、単位回路Ｕｘにおける電流源トランジスタＴｇのチャネル幅Ｗよりも大きく設定される。
【００２５】
本実施形態の構成によれば、高位側電源線１６における電位降下によって各単位回路Ｕ１〜Ｕｎの電流源トランジスタＴｇのゲート・ソース間電圧Ｖｇｓが減少しても、各電流源トランジスタＴｇで生成される駆動電流Ｉｄｓが減少することを抑制できる。従って、各単位回路Ｕ１〜Ｕｎにおける発光素子２０の発光強度にばらつきが生じることを抑制できる。
【００２６】
なお、本実施形態においては、電源回路１４及び１５から高位側電源線１６の両端に電源電圧ＶＥＬを供給する構成を例示したが、高位側電源線１６の一方の端部のみから電源電圧ＶＥＬを供給する態様であってもよい。ただし、高位側電源線１６の一方の端部のみから電源電圧ＶＥＬを供給する場合は、電源端子１９から、高位側電源線１６のうち電源端子１９が設けられていない側の他方の端部に至る電流の経路長が、電源端子１９から高位側電源線１６の延在方向の中央に至る電流の経路長の約２倍の大きさとなるため、高位側電源線１６の他方の端部における電位降下量は高位側電源線１６の延在方向の中央における電位降下量の約２倍の大きさとなる。
一方、本実施形態のように、高位側電源線１６の両端から電源電圧ＶＥＬを供給する場合は、高位側電源線１６の延在方向の中央における電位降下量が最大の電位降下量であるため、高位側電源線１６の一方の端部のみから電源電圧ＶＥＬを供給する場合に比べて電位降下量が少ないという利点がある。
【００２７】
<Ｂ：第２実施形態>
第１実施形態の発光装置１０においては、電源端子１９から接続点Ｓまでの距離が大きいほど、電流源トランジスタＴｇのチャネル幅Ｗを大きく設定していた。これに対して、第２実施形態の発光装置１０においては、電源端子１９から接続点Ｓまでの距離が大きいほど、電流源トランジスタＴｇのチャネル長Ｌを小さく設定する点で第１実施形態の発光装置１０と相違する。
【００２８】
上記式（１）から理解されるように、電流源トランジスタＴｇで生成される駆動電流Ｉｄｓは、電流源トランジスタＴｇのチャネル長Ｌに反比例する。そうすると、高位側電源線１６における電位降下によって電流源トランジスタＴｇのゲート・ソース間電圧Ｖｇｓが減少しても、その電流源トランジスタＴｇのチャネル長Ｌが、ゲート・ソース間電圧Ｖｇｓの減少による駆動電流のＩｄｓの減少を補填できる程度に小さく設定されていれば、その電流源トランジスタＴｇで生成される駆動電流Ｉｄｓの減少を抑制できる。第２実施形態はかかる点に着目したものである。
【００２９】
図５は、高位側電源線１６における主走査方向の各接続点Ｓ１〜Ｓｎの位置と、各単位回路Ｕ１〜Ｕｎにおける電流源トランジスタＴｇのチャネル長Ｌと、の関係を示す図である。図５に示すように、各接続点Ｓ１〜Ｓｎの位置が、高位側電源線１６の両方の端部からその延在方向の中央に向かうにつれて、すなわち、電源端子１９から単位回路Ｕの電流源トランジスタＴｇに至る電流経路の抵抗値が大きくなるにつれて、電流源トランジスタＴｇのチャネル長Ｌは小さく設定されている。  
例えば、高位側電源線１６にそれぞれ接続された２つの単位回路Ｕｘ，Ｕｙ（ｘ≠ｙ）に着目すると、電源端子１９から単位回路Ｕｘと高位側電源線１６との接続点Ｓｘまでの距離が、電源端子１９から単位回路Ｕｙと高位側電源線１６との接続点Ｓｙまでの距離より小さい場合は、単位回路Ｕｙにおける電流源トランジスタＴｇのチャネル長Ｌは、単位回路Ｕｘにおける電流源トランジスタＴｇのチャネル長Ｌよりも小さく設定される。  
【００３０】
第２実施形態の構成によれば、高位側電源線１６における電位降下によって各単位回路Ｕ１〜Ｕｎの電流源トランジスタＴｇのゲート・ソース間電圧Ｖｇｓが減少しても、各単位回路Ｕ１〜Ｕｎの電流源トランジスタＴｇで生成される駆動電流Ｉｄｓが減少することを抑制できる。従って、各単位回路Ｕ１〜Ｕｎにおける発光素子２０の発光強度にばらつきが発生することを抑制できる。
【００３１】
<Ｃ：第３実施形態>
図６は、本発明の第３実施形態に係る発光装置１０のブロック図である。図６に示すように、単位回路Ｕ１は、複数の電流源トランジスタＴｇ１〜Ｔｇ４と、切替用トランジスタＴｓ１〜Ｔｓ４と、発光素子２０と、トランジスタＴｒと、を含む。なお、他の単位回路Ｕ２〜Ｕｎも単位回路Ｕ１と同様に構成されている。
図６に示すように、発光素子２０は、高位側電源線１６と低位側電源線１７との間に配置される。電流源トランジスタＴｇ１〜Ｔｇ４は、高位側電源線１６と発光素子２０との間にそれぞれ配置されるＰチャネル型のトランジスタ（典型的には薄膜トランジスタ）である。各単位回路Ｕ１〜Ｕｎにおける電流源トランジスタＴｇ１〜Ｔｇ４のソースはそれぞれ高位側電源線１６に接続され、高位側電源線１６から電源電圧ＶＥＬが供給される。また、各単位回路Ｕ１〜Ｕｎにおける電流源トランジスタＴｇ１〜Ｔｇ４のゲートには、一定の基準電圧ＶＲＥＦが共通に供給される。ここで、電流源トランジスタＴｇ１〜Ｔｇ４の各々のチャネル幅Ｗは異なる。具体的には、各々のチャネル幅Ｗは２のべき乗の相対比で表される（Ｔｇ１：Ｔｇ２：Ｔｇ３：Ｔｇ４＝１：２：４：８）。従って、各電流源トランジスタＴｇ１〜Ｔｇ４で生成される電流をそれぞれＩ１〜Ｉ４とすれば、Ｉ１：Ｉ２：Ｉ３：Ｉ４＝１：２：４：８となる。各電流源トランジスタＴｇ１〜Ｔｇ４で生成された電流は、発光素子２０と電流源トランジスタＴｇ１〜Ｔｇ４との間に位置する接続点Ｚで合成される。
【００３２】
切替用トランジスタＴｓ１〜Ｔｓ４は、電流源トランジスタＴｇ１〜Ｔｇ４から接続点Ｚに至るまでの電流の経路上に、各電流源トランジスタＴｇ１〜Ｔｇ４に対応してそれぞれ設けられている。切替用トランジスタＴｓ１〜Ｔｓ４は、各々のゲートに電圧Ｄ１〜Ｄ４が供給されることによって、個別にオン状態又はオフ状態の何れかに制御される。例えば、切替用トランジスタＴｓ１がオン状態になると、電流源トランジスタＴｇ１で生成された電流Ｉ１が接続点Ｚに向かって流れる。そのようにして、切替用トランジスタＴｓ１〜Ｔｓ４のオン状態又はオフ状態を切り替えることによって、接続点Ｚで合成される駆動電流Ｉｄｓの電流値を変化させることができる。
トランジスタＴｒは、発光素子２０と接続点Ｚとの間に配置される。上述の各実施形態と同様に、トランジスタＴｒのゲートには、階調データに応じた電圧Ｖｄが駆動回路１８から供給される。これによって、トランジスタＴｒは、オン状態又はオフ状態の何れかに制御される。トランジスタＴｒがオン状態に変化すると、接続点Ｚで合成された駆動電流Ｉｄｓが発光素子２０に供給される。発光素子２０は、駆動電流Ｉｄｓの電流値に応じた輝度で発光する。
【００３３】
電流源トランジスタＴｇ１〜Ｔｇ４のうちオン状態となった切替用トランジスタＴｓに対応する電流源トランジスタＴｇのチャネル幅Ｗの和（以下「合計チャネル幅」という）が大きくなれば、接続点Ｚで合成される駆動電流Ｉｄｓの電流値は大きくなる。すなわち、複数の電流源トランジスタＴｇ１〜Ｔｇ４を等価的に１個の電流源トランジスタとして把握すると、切替用トランジスタＴｓ１〜Ｔｓ４を選択的にオン状態又はオフ状態に制御することは、第１実施形態と同様に電流源トランジスタのチャネル幅Ｗ（合計チャネル幅）を制御することと等価である。
そこで、本実施形態においては、単位回路Ｕ１〜Ｕｎの各々における駆動電流Ｉｄｓが同一の電流値となるように、各単位回路Ｕ１〜Ｕｎにおいて、電源端子１９からその単位回路Ｕの各電流源トランジスタＴｇ１〜Ｔｇ４に至る抵抗値に応じて、複数の切替用トランジスタＴｓ１〜Ｔｓ４のうち１以上の切替用トランジスタＴｓを選択的にオン状態としている。さらに詳述すると、電源端子１９から接続点Ｓまでの距離が大きいほど、単位回路Ｕにおける合計チャネル幅が大きくなるように、オン状態となる切替用トランジスタＴｓ１〜Ｔｓ４が選択される。これにより、高位側電源線１６における電位降下によって、各単位回路Ｕ１〜Ｕｎの電流源トランジスタＴｇ１〜Ｔｇ４のゲート・ソース間電圧Ｖｇｓが減少しても、駆動電流Ｉｄｓが減少することを抑制できる。従って、各単位回路Ｕ１〜Ｕｎにおける駆動電流Ｉｄｓを同一の電流値とすることができ、各単位回路Ｕ１〜Ｕｎにおける発光素子２０の発光強度にばらつきが発生することを抑制できる。
【００３４】
なお、上記の電圧Ｄ１〜Ｄ４は、図示しない制御回路から切替用トランジスタＴｓ１〜Ｔｓ４の各ゲートへ供給される。また、切替用トランジスタＴｓ１〜Ｔｓ４の各々にメモリを設け、各メモリに電圧Ｄ１〜Ｄ４を書き込んで保持するようにしてもよい。
【００３５】
<Ｄ：第４実施形態>
第３実施形態の発光装置１０においては、電源端子１９から接続点Ｓまでの距離が大きいほど、単位回路Ｕの合計チャネル幅が大きくなるように設定されていた。これに対して、第４実施形態の発光装置１０においては、電源端子１９から接続点Ｓまでの距離が大きいほど、電流源トランジスタＴｇ１〜Ｔｇ４のうちオン状態となった切替用トランジスタＴｓに対応する電流源トランジスタＴｇのチャネル長Ｌの和（以下「合計チャネル長」という）が小さくなるように設定されている点で第３実施形態の発光装置１０と相違する。ここで、第４実施形態の発光装置１０においては、単位回路Ｕにおける電流源トランジスタＴｇ１〜Ｔｇ４の各々のチャネル長Ｌは異なる。具体的には、各々のチャネル長Ｌは２のべき乗の相対比で表される（Ｔｇ１：Ｔｇ２：Ｔｇ３：Ｔｇ４＝８：４：２：１）。従って、各電流源トランジスタＴｇ１〜Ｔｇ４で生成される電流をそれぞれＩ１〜Ｉ４とすれば、Ｉ１：Ｉ２：Ｉ３：Ｉ４＝１：２：４：８となる。
【００３６】
合計チャネル長が小さくなれば、接続点Ｚで合成される駆動電流Ｉｄｓの電流値は大きくなる。単位回路Ｕにおける複数の電流源トランジスタＴｇ１〜Ｔｇ４を等価的に１個の電流源トランジスタとして把握すると、切替用トランジスタＴｓ１〜Ｔｓ４を選択的にオン状態又はオフ状態に制御することは、第２実施形態と同様に電流源トランジスタのチャネル長Ｌ（合計チャネル長）を制御することと等価である。
そこで、本実施形態においては、各単位回路Ｕ１〜Ｕｎにおいて、電源端子１９から接続点Ｓまでの距離が大きいほど、その単位回路Ｕにおける合計チャネル長が小さくなるように、オン状態となる切替用トランジスタＴｓ１〜Ｔｓ４が選択される。これにより、高位側電源線１６における電位降下によって、各単位回路Ｕ１〜Ｕｎの電流源トランジスタＴｇ１〜Ｔｇ４のゲート・ソース間電圧Ｖｇｓが減少しても、駆動電流Ｉｄｓが減少することを抑制できる。従って、各単位回路Ｕ１〜Ｕｎにおける駆動電流Ｉｄｓを同一の電流値とすることができ、各単位回路Ｕ１〜Ｕｎにおける発光素子２０の発光強度にばらつきが発生することを抑制できる。
【００３７】
<Ｅ：変形例>
本発明は上述した各実施形態に限定されるものではなく、例えば、以下の変形が可能である。また、以下に示す変形例のうちの２以上の変形例を組み合わせることもできる。
（１）変形例１
上述の各実施形態においては、発光素子２０の一例として、ＯＬＥＤ素子を取り上げたが、無機発光ダイオードやＬＥＤ（Light Emitting Diode）であってもよい。要は、駆動電流に応じた発光輝度で発光するのであれば、どのような素子であってもよい。
【００３８】
（２）変形例２
上述の各実施形態においては、各単位回路Ｕ１〜Ｕｎにおける電流源トランジスタＴｇのサイズ（チャネル幅Ｗ又はチャネル長Ｌ）は、電源端子１９から電流源トランジスタＴｇに至る電流経路の抵抗値に応じて異なるように設定されているが、本発明はこれに限られるものではない。すなわち、各単位回路Ｕ１〜Ｕｎの電流源トランジスタＴｇで生成される駆動電流Ｉｄｓの電流値が等しくなるように、電源端子１９から電流源トランジスタＴｇに至る電流経路の抵抗値に応じて電流源トランジスタＴｇの駆動能力が設定されればよい。
ここで、電流源トランジスタＴｇの駆動能力とは、ゲート・ソース間電圧Ｖｇｓに対して出力される駆動電流Ｉｄｓの大きさを決定する要素である。そのような駆動能力としては、電流源トランジスタＴｇのサイズ（チャネル幅Ｗ又はチャネル長Ｌ）の他に、上記式（１）における電子の移動度μ、電流源トランジスタＴｇのゲート容量Ｃｏｘ、閾値電圧Ｖｔｈなどが該当する。
【００３９】
（３）変形例３
上述の各実施形態においては、各単位回路Ｕ１〜Ｕｎは、電流源トランジスタＴｇと、電流源トランジスタＴｇで生成された電流を発光素子２０に供給するか否かを切り替えるトランジスタＴｒと、発光素子２０と、を備えているが、図７に示すように、単位回路Ｕが、電流源トランジスタＴｇを備えずに、トランジスタＴｒと、発光素子２０と、を含むという構成を採用することもできる。すなわち、トランジスタＴｒを電流源として機能させると共に、生成した駆動電流を発光素子２０へ供給するか否かを切り替えるスイッチとして機能させることもできる。かかる態様においては、電源端子１９からトランジスタＴｒに至る電流経路の抵抗値に応じて、トランジスタＴｒのサイズ（チャネル幅Ｗ又はチャネル長Ｌ）が個別に設定される。
【００４０】
（４）変形例４
上述の各実施形態においては、発光装置１０は電源回路１４及び１５を備えているが、これに限らず、例えば電源回路を１つだけで構成し、その１つの電源回路から高位側電源線１６へ電源電圧ＶＥＬを供給するという態様であってもよい。このとき、上述の各実施形態のように、高位側電源線１６の両端に電源端子１９を設け、高位電源線１６の両端から電源電圧ＶＥＬを供給することもできる。また、上述の各実施形態においては、高位側電源線１６の両端に電源端子１９をそれぞれ設け、高位側電源線１６の両端から電源電圧ＶＥＬを供給しているが、これに限らず、電源端子１９の高位側電源線１６における設置位置は適宜変更が可能である。例えば、高位側電源線１６の中央に電源端子１９を設け、そこから電源電圧ＶＥＬを高位側電源線１６に供給するという態様であってもよい。
【００４１】
（５）変形例５
上述の各実施形態に係る発光装置１０においては、各単位回路Ｕ１〜Ｕｎの発光素子２０に供給される駆動電流Ｉｄｓは同一の電流値であるが、これに限らず、例えば各単位回路Ｕ１〜Ｕｎの発光素子２０に供給される電流Ｉｄｓの電流値が互いに異なるように設定されていてもよい。そのような態様であっても、電源端子１９から単位回路Ｕの電流源トランジスタＴｇと高位側電源線１６との接続点までの距離が大きいほど、電流源トランジスタＴｇに供給される電源電圧ＶＥＬが大きく減少し、単位回路Ｕにおける発光強度（輝度）が大きく減少するという問題を生じる。かかる問題を解決するためには、上述の各実施形態と同様に、電源端子１９から各単位回路Ｕ１〜Ｕｎの電流源トランジスタＴｇに至る電流経路の抵抗値に応じて、電流源トランジスタＴｇのサイズ（チャネル幅Ｗ又はチャネル長Ｌ）を異ならせるという構成が有効である。
【００４２】
（６）変形例６
上述の第３及び第４実施形態に係る発光装置１０においては、切替用トランジスタＴｓ１〜Ｔｓ４は、複数の電流源トランジスタＴｇ１〜Ｔｇ４と接続点Ｚとの間に配置されているが、これに限らず、例えば切替用トランジスタＴｓ１〜Ｔｓ４は、高位側電源線１６と複数の電流源トランジスタＴｇ１〜Ｔｇ４との間に配置されるという態様であってもよい。すなわち、切替用トランジスタＴｓ１〜Ｔｓ４は、高位側電源線１６から接続点Ｚに至るまでの電流の経路上に、電流源トランジスタＴｇ１〜Ｔｇ４に対応してそれぞれ設けられていればよい。
【００４３】
（７）変形例７
上述の各実施形態においては、各単位回路Ｕ１〜Ｕｎにおける電流源トランジスタＴｇのサイズ（チャネル幅Ｗ又はチャネル長Ｌ）は、電源端子１９から電流源トランジスタＴｇに至る電流経路の抵抗値に応じて異なるように調整されるが、例えば、電源端子１９から電流源トランジスタＴｇに至る電流経路の抵抗値に応じて、各単位回路Ｕ１〜Ｕｎにおける電流源トランジスタＴｇのチャネル幅Ｗとチャネル長Ｌの双方を調整するという態様であってもよい。
【００４４】
（８）変形例８
上述の各実施形態においては、電流源トランジスタＴｇ及びトランジスタＴｒは、高位側電源線１６と発光素子２０との間に配置されているが、これに限らず、例えば電流源トランジスタＴｇ及びトランジスタＴｒの両方又は何れか一方を発光素子２０と低位側電源線１６との間に配置してもよい。また、上述の各実施形態においては、トランジスタＴｒは、電流源トランジスタＴｇと発光素子２０との間に配置されているが、これに限らず、例えば高位側電源線１６と電流源トランジスタＴｇとの間にトランジスタＴｒを配置してもよい。また、発光素子２０と低位側電源線１７との間に電流源トランジスタＴｇ及びトランジスタＴｒの両方を配置した態様において、トランジスタＴｒは、発光素子２０と電流源トランジスタＴｇとの間に配置してもよいし、電流源トランジスタＴｇと低位側電源線１７との間に配置してもよい。
【００４５】
（９）変形例９
上述の第３実施形態及び第４実施形態においては、各単位回路Ｕ１〜Ｕｎにおける各電流源トランジスタＴｇ１〜Ｔｇ４のサイズ（チャネル幅Ｗ又はチャネル長Ｌ）は異なっているが、これに限らず、例えば各単位回路Ｕ１〜Ｕｎにおける各電流源トランジスタＴｇ１〜Ｔｇ４のサイズ（チャネル幅Ｗ又はチャネル長Ｌ）は全て等しいという態様であってもよい。ただし、各電流源トランジスタＴｇ１〜Ｔｇ４のサイズが相違するという構成によれば、各電流源トランジスタＴｇ１〜Ｔｇ４のサイズが共通するという構成と比較して、多段階に合計チャネル幅又は合計チャネル長を調整することが可能である。
【００４６】
<Ｆ：電子機器>
次に、図８を参照して、本発明に係る電子機器のひとつの態様である画像形成装置について説明する。この画像形成装置は、ベルト中間転写体方式を利用したタンデム型のフルカラー画像形成装置である。
【００４７】
この画像形成装置では、各々が同様の構成である４個の発光装置１０Ｋ，１０Ｃ，１０Ｍ，１０Ｙが、各々の構成が同様である４個の感光体ドラム（像担持体）１１０Ｋ，１１０Ｃ，１１０Ｍ，１１０Ｙの像形成面１１０に対向する位置にそれぞれ配置されている。発光装置１０Ｋ，１０Ｃ，１０Ｍ，１０Ｙは、上記の各形態に係る発光装置１０と同様の構成である。
【００４８】
図８に示すように、この画像形成装置には、駆動ローラ１２１と従動ローラ１２２とが設けられており、これらのローラ１２１，１２２には無端の中間転写ベルト１２０が巻回されて、矢印に示すようにローラ１２１，１２２の周囲を回転させられる。図示しないが、中間転写ベルト１２０に張力を与えるテンションローラなどの張力付与手段を設けてもよい。
【００４９】
この中間転写ベルト１２０の周囲には、外周面に感光層を有する４個の感光体ドラム１１０Ｋ，１１０Ｃ，１１０Ｍ，１１０Ｙが互いに所定の間隔をおいて配置される。添字「Ｋ」，「Ｃ」，「Ｍ」，「Ｙ」はそれぞれ黒、シアン、マゼンタ、イエローの顕像を形成するために使用されることを意味している。他の部材についても同様である。感光体ドラム１１０Ｋ，１１０Ｃ，１１０Ｍ，１１０Ｙは、中間転写ベルト１２０の駆動と同期して回転駆動される。
【００５０】
各感光体ドラム１１０（Ｋ，Ｃ，Ｍ，Ｙ）の周囲には、コロナ帯電器１１１（Ｋ，Ｃ，Ｍ，Ｙ）と、発光装置１０（Ｋ，Ｃ，Ｍ，Ｙ）と、現像器１１４（Ｋ，Ｃ，Ｍ，Ｙ）とが配置されている。コロナ帯電器１１１（Ｋ，Ｃ，Ｍ，Ｙ）は、これに対応する感光体ドラム１１０（Ｋ，Ｃ，Ｍ，Ｙ）の像形成面１１０Ａ（外周面）を一様に帯電させる。発光装置１０Ａ（Ｋ，Ｃ，Ｍ，Ｙ）は、各感光体ドラムの帯電した像形成面１１０Ａに静電潜像を書き込む。各発光装置１０Ａ（Ｋ，Ｃ，Ｍ，Ｙ）においては、感光体ドラム１１０（Ｋ，Ｃ，Ｍ，Ｙ）の母線（主走査方向）に沿って複数の発光素子２０が配列する。静電潜像の書き込みは、複数の発光素子２０によって感光体ドラム１１０（Ｋ，Ｃ，Ｍ，Ｙ）に光を照射することにより行う。現像器１１４（Ｋ，Ｃ，Ｍ，Ｙ）は、静電潜像に現像剤としてのトナーを付着させることにより感光体ドラム１１０（Ｋ，Ｃ，Ｍ，Ｙ）に顕像（すなわち可視像）を形成する。
【００５１】
このような４色の単色顕像形成ステーションにより形成された黒、シアン、マゼンタ、イエローの各顕像は、中間転写ベルト１２０上に順次に一次転写されることによって中間転写ベルト１２０上で重ね合わされ、この結果としてフルカラーの顕像が形成される。中間転写ベルト１２０の内側には、４つの一次転写コロトロン（転写器）１１２（Ｋ，Ｃ，Ｍ，Ｙ）が配置されている。一次転写コロトロン１１２（Ｋ，Ｃ，Ｍ，Ｙ）は、感光体ドラム１１０（Ｋ，Ｃ，Ｍ，Ｙ）の近傍にそれぞれ配置されており、感光体ドラム１１０（Ｋ，Ｃ，Ｍ，Ｙ）から顕像を静電的に吸引することにより、感光体ドラムと一次転写コロトロンの間を通過する中間転写ベルト１２０に顕像を転写する。
【００５２】
最終的に画像を形成する対象（記録材）としてのシート１０２は、ピックアップローラ１０３によって、給紙カセット１０１から１枚ずつ給送されて、駆動ローラ１２１に接した中間転写ベルト１２０と二次転写ローラ１２６の間のニップに送られる。中間転写ベルト１２０上のフルカラーの顕像は、二次転写ローラ１２６によってシート１０２の片面に一括して二次転写され、定着部である定着ローラ対１２７を通ることでシート１０２上に定着される。この後、シート１０２は、排紙ローラ対１２８によって、装置上部に形成された排紙カセット上へ排出される。
【００５３】
次に、図９を参照して、本発明に係る画像形成装置の他の形態について説明する。この画像形成装置は、ベルト中間転写体方式を利用したロータリ現像式のフルカラー画像形成装置である。図９に示すように、感光体ドラム１１０の周囲には、コロナ帯電器１６８と、ロータリ式の現像ユニット１６１と、上記の実施形態に係る発光装置１０と、中間転写ベルト１６９とが設けられている。
【００５４】
コロナ帯電器１６８は、感光体ドラム１１０の外周面を一様に帯電させる。発光装置１０は、感光体ドラム１１０の帯電させられた像形成面（外周面）に静電潜像を書き込む。この発光装置１０においては、感光体ドラム１１０の母線（主走査方向）に沿って複数の発光素子３２が配列する。静電潜像の書き込みは、これらの発光素子３２から感光体ドラム１１０に光を照射することにより行う。
【００５５】
現像ユニット１６１は、４つの現像器１６３Ｙ，１６３Ｃ，１６３Ｍ，１６３Ｋが９０°の角間隔をおいて配置されたドラムであり、軸１６１ａを中心にして反時計回りに回転可能である。現像器１６３Ｙ，１６３Ｃ，１６３Ｍ，１６３Ｋは、それぞれイエロー、シアン、マゼンタ、黒のトナーを感光体ドラム１１０に供給して、静電潜像に現像剤としてのトナーを付着させることにより感光体ドラム１１０に顕像（すなわち可視像）を形成する。
【００５６】
無端の中間転写ベルト１６９は、駆動ローラ１７０ａ、従動ローラ１７０ｂ、一次転写ローラ１６６およびテンションローラに巻回されて、これらのローラの周囲を矢印に示す向きに回転させられる。一次転写ローラ１６６は、感光体ドラム１１０から顕像を静電的に吸引することにより、感光体ドラム１１０と一次転写ローラ１６６の間を通過する中間転写ベルト１６９に顕像を転写する。
【００５７】
具体的には、感光体ドラム１１０の最初の１回転で、発光装置１０によりイエロー（Ｙ）像のための静電潜像が書き込まれて現像器１６３Ｙにより同色の顕像が形成され、さらに中間転写ベルト１６９に転写される。また、次の１回転で、発光装置１０Ａによりシアン（Ｃ）像のための静電潜像が書き込まれて現像器１６３Ｃにより同色の顕像が形成され、イエローの顕像に重なり合うように中間転写ベルト１６９に転写される。そして、このようにして感光体ドラム１１０が４回転する間に、イエロー、シアン、マゼンタ、黒の顕像が中間転写ベルト１６９に順次に重ね合わせられ、この結果としてフルカラーの顕像が転写ベルト１６９上に形成される。最終的に画像を形成する対象としてのシートの両面に画像を形成する場合には、中間転写ベルト１６９に表面と裏面の同色の顕像を転写し、次に中間転写ベルト１６９に表面と裏面の次の色の顕像を転写する形式で、フルカラーの顕像を中間転写ベルト１６９上に形成する。
【００５８】
画像形成装置には、シートが通過させられるシート搬送路１７４が設けられている。シートは、給紙カセット１７８から、ピックアップローラ１７９によって１枚ずつ取り出され、搬送ローラによってシート搬送路１７４を進行させられ、駆動ローラ１７０ａに接した中間転写ベルト１６９と二次転写ローラ１７１の間のニップを通過する。二次転写ローラ１７１は、中間転写ベルト１６９からフルカラーの顕像を一括して静電的に吸引することにより、シートの片面に顕像を転写する。二次転写ローラ１７１は、図示しないクラッチにより中間転写ベルト１６９に接近および離間させられるようになっている。そして、シートにフルカラーの顕像を転写する時に二次転写ローラ１７１は中間転写ベルト１６９に当接させられ、中間転写ベルト１６９に顕像を重ねている間は二次転写ローラ１７１から離される。
【００５９】
以上のようにして画像が転写されたシートは定着器１７２に搬送され、定着器１７２の加熱ローラ１７２ａと加圧ローラ１７２ｂの間を通過させられることにより、シート上の顕像が定着する。定着処理後のシートは、排紙ローラ対１７６に引き込まれて矢印Ｆの向きに進行する。両面印刷の場合には、シートの大部分が排紙ローラ対１７６を通過した後、排紙ローラ対１７６が逆方向に回転させられ、矢印Ｇで示すように両面印刷用搬送路１７５に導入される。そして、二次転写ローラ１７１により顕像がシートの他面に転写され、再び定着器１７２で定着処理が行われた後、排紙ローラ対１７６でシートが排出される。
【００６０】
図８および図９に例示した画像形成装置は、ＯＬＥＤ素子を発光素子２０として採用した光源（露光手段）を利用しているので、レーザ走査光学系を用いた場合よりも装置が小型化される。なお、以上に例示した以外の電子写真方式の画像形成装置にも本発明の発光装置１０を採用することができる。例えば、中間転写ベルトを使用せずに感光体ドラムからシートに対して直接的に顕像を転写するタイプの画像形成装置や、モノクロの画像を形成する画像形成装置にも本発明に係る発光装置１０を応用することが可能である。
【００６１】
本発明に係る発光装置の用途は感光体の露光に限定されない。例えば、本発明の発光装置は、原稿などの読取対象に光を照射するライン型の光ヘッド（照明装置）としてスキャナなどの画像読取装置に採用される。この種の画像読取装置としては、スキャナ、複写機やファクシミリの読取部分、バーコードリーダ、あるいはＱＲコード（登録商標）のような二次元画像コードを読む二次元画像コードリーダがある。また、複数の発光素子（特に発光素子）を面状に配列した発光装置は、液晶パネルの背面側に配置されるバックライトユニットとしても採用される。また、複数の単位回路を行列状に配列した発光装置は各種の電子機器の表示装置として採用される。  
【図面の簡単な説明】
【００６２】
【図１】第１実施形態に係る画像形成装置の部分的な構成を示す斜視図である。
【図２】同実施形態に係る発光装置１０の構成を示すブロック図である。
【図３】高位側電源線１６の位置と、各単位回路Ｕ１〜Ｕｎの駆動トランジスタＴｓｗに供給される電源電圧ＶＥＬ及びゲート電圧ＶＥＬと、の関係を示す図である。
【図４】高位側電源線１６の位置と、高位側電源線１６に接続された各単位回路Ｕ１〜Ｕｎにおける駆動トランジスタＴｓｗのゲート幅Ｗ（チャネル幅）と、の関係を示す図である。
【図５】高位側電源線１６の位置と、高位側電源線１６に接続された各単位回路Ｕ１〜Ｕｎにおける駆動トランジスタＴｓｗのゲート長Ｌ（チャネル長）と、の関係を示す図である。
【図６】第３実施形態に係る発光装置１０の構成を示すブロック図である。
【図７】変形例に係る発光装置１０の構成を示すブロック図である。
【図８】本発明に係る電子機器の具体例（画像形成装置）を示す斜視図である。
【図９】本発明に係る電子機器の具体例（画像形成装置）を示す斜視図である。
【符号の説明】
【００６３】
１０……発光装置、１６……高位側電源線、１９……電源端子、Ｕ１〜Ｕｎ……単位回路、Ｔｓｗ……駆動トランジスタ、Ｔｒ……トランジスタ（スイッチ）、Ｓ１〜Ｓｎ……接続点、Ｉｄｓ……駆動電流、２０……発光素子、Ｗ……ゲート幅（チャネル幅）、Ｌ……ゲート長（チャネル長）。
【図１】
2009115888.tif 000003
【図２】
2009115888.tif 000004
【図３】
2009115888.tif 000005
【図４】
2009115888.tif 000006
【図５】
2009115888.tif 000007
【図６】
2009115888.tif 000008
【図７】
2009115888.tif 000009
【図８】
2009115888.tif 000010
【図９】
2009115888.tif 000011